(57)【特許請求の範囲】
【請求項１】
柱と側壁と床を組み付け、サッシ式の開閉扉を有する精米施設の建屋構造であって、
該建屋内を仕切壁で前記開閉扉を備える操作室と、石抜装置や精米装置を備える機械室とに区分けし、該操作室側の左右両コーナーに配置される柱を平面視屈曲形状に形成し、
該柱の前側の端面には前記開閉扉を支持するサッシ枠を取り付け、柱の後側の端面には柱の端面の外面の一部を延設した延設部分と、該延設部分に対向する位置に上下方向にわたって設ける側壁支持部材とで側壁を挟持して支持する構成とし、
側壁を取り付けている柱の端面を床に取り付けると共に、前記サッシ枠とサッシ枠を取り付けている幅の柱の屈曲部分とを床の先端より外側に突出させる構成とし、サッシ枠下面の内側に扉レールを取り付けたときに、扉レールと床面を同じ高さにし、且つ、前記柱の屈曲部分とサッシ枠の部分の下側を柱受け部材で支持する構成としたことを特徴とする精米施設の建屋構造。
【発明の詳細な説明】
【０００１】
【発明の属する技術分野】
本発明は、精米施設の建屋構造に関するものである。
【０００２】
【従来の技術】
従来のコイン籾摺精米機等の精米施設の建屋は、柱と側壁と床を組み付け、サッシ式の開閉扉を有する構造のものが一般的である。
しかしながら、従来の建屋構造は、柱に取付金具等で側壁を取り付けているので、柱と側壁との間にどうしても隙間ができてゴミが溜まりやすく清掃性にかける。また、床面上にサッシ枠を配置するので、その部分に段差ができて客室のゴミを掃き出しにくく、さらに客がつまずく原因ともなるため危険である。
【０００３】
【発明が解決しようとする課題】
本発明は、上記従来の問題を解決するためになされたものであって、その目的とするところは、床面とサッシ枠との段差をなくして平坦にできる建屋構造を提供することにある。
また、他の目的は、剛性、防振性を向上できる建屋構造を提供することにある。
【０００４】
【課題を解決するための手段】
かかる目的を達成するために、本発明は、柱と側壁と床を組み付け、サッシ式の開閉扉を有する精米施設の建屋構造であって、
該建屋内を仕切壁で前記開閉扉を備える操作室と、石抜装置や精米装置を備える機械室とに区分けし、該操作室側の左右両コーナーに配置される柱を平面視屈曲形状に形成し、
該柱の前側の端面には前記開閉扉を支持するサッシ枠を取り付け、柱の後側の端面には柱の端面の外面の一部を延設した延設部分と、該延設部分に対向する位置に上下方向にわたって設ける側壁支持部材とで側壁を挟持して支持する構成とし、
側壁を取り付けている柱の端面を床に取り付けると共に、前記サッシ枠とサッシ枠を取り付けている幅の柱の屈曲部分とを床の先端より外側に突出させる構成とし、サッシ枠下面の内側に扉レールを取り付けたときに、扉レールと床面を同じ高さにし、且つ、前記柱の屈曲部分とサッシ枠の部分の下側を柱受け部材で支持することを特徴としている。
【０００５】
【発明の実施の形態】
以下に、図面を参照して本発明の実施の形態について説明する。
図１〜図６は精米施設の建屋を示すもので、図１は外観側面図、図２は操作室の正面図、図３は内部平面図、図４は図３のＳ１−Ｓ１矢視図、図５は図３のＳ２−Ｓ２矢視図、図６は図３のＳ３−Ｓ３矢視図である。
【０００６】
図３の平面図に示すように、精米施設の建屋は、建屋内を仕切壁１１で操作室（客室）Ａ側と機械室Ｂ側とに区分けしている。仕切壁１１は操作室Ａ側に向けて操作パネル（図２参照）を備えており、また中央のやや下方には取り外し可能なカバー１２（図２参照）を設けている。このカバー１２を取り外すと、操作室Ａ側から機械室Ｂ側への出入りが可能になっている。
【０００７】
また、操作室Ａ側に面する供給タンク１（穀粒供給口）より機械室Ｂ内の複数の搬送装置、精米装置等を経て、再び操作室Ａ側に面する白米タンク８（穀粒取出口）に至る穀粒の作業経路を平面視略コの字型に配設している。すなわち、供給タンク１に続いて、機械室Ｂ内の一側に籾摺機４を、他側に精米装置７を備え、上記供給タンク１と籾摺機４との間を籾昇降機３で連通し、籾摺機４と精米装置７との間は精米昇降機６を配設している。また、還元通路１７は、機械室Ｂ側に搬送された穀粒の操作室Ａ側への返却用通路である。
【０００８】
また、上記籾昇降機３と精米昇降機６のそれぞれの駆動モータ９、１０を上記コの字型の内部、つまりコの字型の内側と仕切壁１１との間に発生する空間内に配設している。
【０００９】
さらに、精米作業の前処理工程を行う装置を機械室Ｂの後方に面して配設している。すなわち、石を除去する石抜機１３を籾摺機４の下部に、さらに藁屑等を除去する異物除去装置５を石抜機１３の側方であって精米昇降機６との間にそれぞれ配設している（図３、図５、図６参照）。なお、機械室Ｂの後方には、精米装置７で生じる糠を処理するためのサイクロン１４、ヌカラセン１５、糠袋１６Ａ，１６Ｂをそれぞれ配設している。
【００１０】
このような配置構成において、供給タンク１内に投入された籾（および玄米）は供給ラセン２によって籾昇降機３に移送され、さらに籾昇降機３により上方に運ばれて籾摺機４内に投入される。籾摺機４にて選別された玄米が石抜機１３に入り、石抜機１３にて石を選別される。次いで、異物除去装置５に入り、ここで藁屑等の異物が除去され、精米昇降機６に送られる。精米昇降機６にて上方に移送された玄米は精米装置７内に投入される。精米後の白米は白米タンク８に貯留される。また、精米装置７より圧送された糠はサイクロン１４にて空気と分離され、ヌカラセン１５にて搬送されて、糠袋１６Ａ、１６Ｂに貯められる。
【００１１】
図７は上記建屋の一部分解組立斜視図である。
すなわち、基本的には数本の柱２０と床板２１と数枚の側壁ボード２２を組み立ててなる建屋構造であって、正面入口にはサッシ式の左右２枚の開閉扉２４、２４がサッシ枠２３を介して取付けられ、左右の側面にはそれぞれ機械室へ入るためのドア２６がドア枠２５を介して取付けられる。また、建屋の屋根は、天井裏板２７、断熱材２８及び天板２９を貼り合せている。
【００１２】
図８は操作室側の内部斜視図、図９は操作室側の側面図、図１０は側壁の取付構造を示す横断面図である。
建屋の正面入口側の左右両コーナーに配置される柱２０Ａ，２０Ｂは、平面視屈曲形状に形成されており、この柱の正面側の端面には、サッシ式の左右２枚の開閉扉２４Ａ，２４Ｂを支持するサッシ枠２３を取り付けている。そして、このサッシ枠２３を取付ける柱２０Ａ，２０Ｂの部分（柱の屈曲部分）を床２１の先端より外側に突出して設ける。要するに、図９を見ると明らかなように、建屋の側面から見て、少なくともサッシ枠２３を取付けている幅の分だけ柱２０Ａ、２０Ｂを床２１の先端より外側に突出させて取付けることにより、サッシ枠２３の設置位置を床面より低くできる。この突出した柱の部分の下端は断面コの字状の柱受け部材３０を左右幅方向に亘って配置することにより支持する。なお、サッシ枠２３下面の内側に扉レール３１を取付けたときに、扉レール３１と床面をほぼ同じ高さに設定できる。
【００１３】
また、上述の如く平面視屈曲形状に形成された柱２０Ａ，２０Ｂの内部は空洞に形成されている。さらにその側壁を取付ける側の端部は、図１０に示すように柱の外面が延設され、柱の内面には所定の大きさの押え板３３が縦の方向に嵌入されその先端が上記外面の延設部分２０ｂとほぼ同じぐらいの位置に突出している。そして、これら柱外面の延設部分２０ｂ、柱端面および押え板３３によって平面視コの字状に形成される部分に側壁ボード２２の端部を差し込んで内側から押えボルト３２で押え板３３を固定し側壁ボード２２を挟持固定することにより、柱２０Ａ，２０Ｂに側壁ボード２２を隣接して取付ける。なお、押え板３３は柱の上下方向にわたって複数備えている。
【００１４】
以上のように構成すると、サッシ枠２３を床面上には設置しないのでサッシ枠２３の設置位置を低くすることが可能となり、床面とサッシ枠２３との段差を平坦にすることができる。したがって、たとえば客が穀粒袋等を持って出入りする際に足がつまずいて転倒するような危険を防止でき、さらに操作室の床面の清掃もしやすくなる。
【００１５】
また、柱２０Ａ，２０Ｂと側壁ボード２２を一体的に取り付けることが可能となり、その結果建屋の剛性、防振性を向上させることができ、とくに本実施形態のように、柱２０Ａ，２０Ｂの一部が床より外側に突出する構成においては建屋の剛性、防振性の向上効果は大きい。また、柱２０Ａ，２０Ｂと側壁ボード２２を取付けたときに隙間ができないので、ゴミ、穀粒等が入り込むのを防止できる。
【００１６】
次に、建屋の照明手段について説明する。
図１１は照明手段を示す建屋の一部を切り欠いた側面図である。
すなわち、操作室Ａ側と店頭看板３６側との境目の仕切をなくして、その位置に蛍光灯などの光源３４を１つ設置し、店頭照明と客室照明に兼用するもので、店頭用と客室用に別々の光源を設置しなくても済み、コストダウンが図れる。また、看板３６の軒下にカバー３５を取付けておくと、虫が内部に入り込むのを防止できる。
【００１７】
【発明の効果】
以上詳細に説明したように、本発明の建屋構造は、柱と側壁と床を組み付ける構造において、サッシ式の開閉扉を支持するサッシ枠を取り付ける建屋の柱の部分を床の先端より外側に突出して設けることにより、サッシ枠の取付位置を低くして床面とサッシ枠との段差を無くし平坦にすることができる。
【００１８】
また、本発明の建屋構造は、建屋の柱を平面視屈曲形状に形成し、さらに柱の外面の一部を延設し、この屈曲した柱に上下方向にわたって固定した側壁支持部材と、柱の延設部分とで側壁を挟持して取り付けることにより、柱と側壁を一体的に取り付けることが可能であり、さらに柱の屈曲部分とサッシ枠の部分の下側を柱受け部材で支持するので、建屋の剛性、防振性を向上させることができる。
【図面の簡単な説明】
【図１】精米施設の建屋の外観側面図である。
【図２】その操作室の正面図である。
【図３】その内部平面図である。
【図４】図３のＳ１−Ｓ１矢視図である。
【図５】図３のＳ２−Ｓ２矢視図である。
【図６】図３のＳ３−Ｓ３矢視図である。
【図７】一部分解組立斜視図である。
【図８】操作室側の内部斜視図である。
【図９】操作室側の側面図である。
【図１０】側壁の取付構造を示す横断面図である。
【図１１】照明手段を示す建屋側面図である。
【符号の説明】
１  供給タンク
２  供給ラセン
３  籾昇降機
４  籾摺機
５  異物除去装置
６  精米昇降機
７  精米機
８  白米タンク
９、１０  駆動モータ
１１  仕切壁
１２  カバー
１３  石抜機
１４  サイクロン
１５  ヌカラセン
１６Ａ，１６Ｂ  糠袋
１７  還元通路
２０Ａ，２０Ｂ  柱
２１  床板
２２  側壁ボード
２３  サッシ枠
２４Ａ，２４Ｂ  開閉扉
３０  柱受け部材
３１  扉レール
３３  押え板
【図１】
0003899767.tif 000002
【図２】
0003899767.tif 000003
【図３】
0003899767.tif 000004
【図４】
0003899767.tif 000005
【図５】
0003899767.tif 000006
【図６】
0003899767.tif 000007
【図７】
0003899767.tif 000008
【図８】
0003899767.tif 000009
【図９】
0003899767.tif 000010
【図１０】
0003899767.tif 000011
【図１１】
0003899767.tif 000012